(57)【特許請求の範囲】
【請求項１】
主データが第１のエラー訂正符号化処理（エラー訂正符号化処理には、エラー検出符号化処理を含む。以下同様）によりエンコードされて記録され、
第２のエラー訂正符号化処理によりエンコードされたときには、ＤＳＶが所定の範囲に収まるが、上記第１のエラー訂正符号化処理によりエンコードされたときには、ＤＳＶが上記所定の範囲に収まらないような所定のデータが、上記第２のエラー訂正符号化処理によりエンコードされて記録されているとともに、
上記主データあるいは上記所定のデータの記録されているエリアを示す情報が記録されている
ようにしたデジタルデータの記録媒体。
【請求項２】
第１のエンコード処理が、第１のエラー訂正符号化処理、第１のインターリーブ処理および第２のエラー訂正符号化処理を、この順に行う処理であり、
第２のエンコード処理が、上記第１のエラー訂正符号化処理、上記第１のインターリーブ処理とは異なるインターリーブ長の第２のインターリーブ処理および上記第２のエラー訂正符号化処理を、この順に行う処理であるとき、
主データが上記第１のエンコード処理によりエンコードされて記録され、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて記録されているとともに、
上記主データあるいは上記所定のデータの記録されているエリアを示す情報が記録されている
ようにしたデジタルデータの記録媒体。
【請求項３】
主データを第１のエラー訂正符号化処理によりエンコードして記録し、
第２のエラー訂正符号化処理によりエンコードしたときには、ＤＳＶが所定の範囲に収まるが、上記第１のエラー訂正符号化処理によりエンコードしたときには、ＤＳＶが上記所定の範囲に収まらないような所定のデータを、上記第２のエラー訂正符号化処理によりエンコードして記録するとともに、
上記主データあるいは上記所定のデータの記録されているエリアを示す情報を記録する
ようにしたデジタルデータの記録方法。
【請求項４】
第１のエンコード処理が、第１のエラー訂正符号化処理、第１のインターリーブ処理および第２のエラー訂正符号化処理を、この順に行う処理であり、
第２のエンコード処理が、上記第１のエラー訂正符号化処理、上記第１のインターリーブ処理とは異なるインターリブ長の第２のインターリーブ処理および上記第２のエラー訂正符号化処理を、この順に行う処理であるとき、
主データを上記第１のエンコード処理によりエンコードして記録し、
上記第２のエンコード処理によりエンコードしたときには、ＤＳＶが所定の範囲に収まるが、上記第１のエンコード処理によりエンコードしたときには、ＤＳＶが上記所定の範囲に収まらないような所定のデータを、上記第２のエンコード処理によりエンコードして記録するとともに、
上記主データあるいは上記所定のデータの記録されているエリアを示す情報を記録する
ようにしたデジタルデータの記録方法。
【請求項５】
第１のエンコード処理として第１のエラー訂正符号化処理を行う第１のエンコーダ回路と、
第２のエンコード処理として第２のエラー訂正符号化処理を行う第２のエンコーダ回路と
を有し、
主データを上記第１のエンコーダ回路によりエンコードして記録し、
上記第２のエラー訂正符号化処理によりエンコードしたときには、ＤＳＶが所定の範囲に収まるが、上記第１のエラー訂正符号化処理によりエンコードしたときには、ＤＳＶが上記所定の範囲に収まらないような所定のデータを、上記第２のエンコーダ回路によりエンコードして記録するとともに、
上記主データあるいは上記所定のデータの記録されているエリアを示す情報を記録する
ようにしたデジタルデータの記録装置。
【請求項６】
第１のエンコード処理を行う第１のエンコーダ回路と、
第２のエンコード処理を行う第２のエンコーダ回路と
を有し、
上記第１のエンコーダ処理は、第１のエラー訂正符号化処理、第１のインターリーブ処理および第２のエラー訂正符号化処理を、この順に行う処理とされ、
上記第２のエンコーダ処理は、上記第１のエラー訂正符号化処理、上記第１のインターリーブ処理とは異なるインターリーブ長の第２のインターリーブ処理および上記第２のエラー訂正符号化処理を、この順に行う処理とされ、
主データを上記第１のエンコーダ回路によりエンコードして記録し、
上記第２のエンコード処理によりエンコードしたときには、ＤＳＶが所定の範囲に収まるが、上記第１のエンコード処理によりエンコードしたときには、ＤＳＶが上記所定の範囲に収まらないような所定のデータを、上記第２のエンコーダ回路によりエンコードして記録するとともに、
上記主データあるいは上記所定のデータの記録されているエリアを示す情報を記録する
ようにしたデジタルデータの記録装置。
【請求項７】
第１のエンコード処理が第１のエラー訂正符号化処理であり、
第２のエンコード処理が第２のエラー訂正符号化処理であり、
主データが上記第１のエンコード処理によりエンコードされて記録されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて記録されている記録媒体から上記主データを再生するにあたり、
上記記録媒体から、上記主データあるいは上記所定のデータの記録されているエリアを示す情報を再生し、
この再生した情報にしたがって、上記記録媒体から取り出されたデータを、上記第１のエンコード処理あるいは上記第２のエンコード処理とは相補な第１のデコード処理あるいは第２のデコード処理によりデコードして上記主データを得る
ようにしたデジタルデータの再生方法。
【請求項８】
第１のエンコード処理が、第１のエラー訂正符号化処理、第１のインターリーブ処理および第２のエラー訂正符号化処理を、この順に行うエンコード処理であり、
第２のエンコード処理が、上記第１のエラー訂正符号化処理、上記第１のインターリーブ処理とは異なるインターリーブ長の第２のインターリーブ処理および上記第２のエラー訂正符号化処理を、この順に行うエンコード処理であり、
主データが上記第１のエンコード処理によりエンコードされて記録されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて記録されている記録媒体から上記主データを再生するにあたり、
上記記録媒体から、上記主データあるいは上記所定のデータの記録されているエリアを示す情報を再生し、
この再生した情報にしたがって、上記記録媒体から取り出されたデータを、上記第１のエンコード処理あるいは上記第２のエンコード処理とは相補な第１のデコード処理あるいは第２のデコード処理によりデコードして上記主データを得る
ようにしたデジタルデータの再生方法。
【請求項９】
第１のエンコード処理が第１のエラー訂正符号化処理であり、
第２のエンコード処理が第２のエラー訂正符号化処理であり、
主データが上記第１のエンコード処理によりエンコードされて記録されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて記録されている記録媒体から上記主データを再生する再生装置であって、
上記第１のエンコード処理とは相補な第１のデコード処理を行う第１のデコーダ回路と、
上記第２のエンコード処理とは相補な第２のデコード処理を行う第２のデコーダ回路と
を有し、
上記記録媒体から、上記主データあるいは上記所定のデータの記録されているエリアを示す情報を再生し、
この再生した情報にしたがって、デコーダ回路を、上記第１のデコーダ回路と、上記第２のデコーダ回路とに切り換えて上記主データを得る
ようにしたデジタルデータの再生装置。
【請求項１０】
第１のエンコード処理が、第１のエラー訂正符号化処理、第１のインターリーブ処理および第２のエラー訂正符号化処理を、この順に行うエンコード処理であり、
第２のエンコード処理が、上記第１のエラー訂正符号化処理、上記第１のインターリーブ処理とは異なるインターリーブ長の第２のインターリーブ処理および上記第２のエラー訂正符号化処理を、この順に行うエンコード処理であり、
主データが上記第１のエンコード処理によりエンコードされて記録されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて記録されている記録媒体から上記主データを再生する再生装置であって、
上記第１のエンコード処理とは相補な第１のデコード処理を行う第１のデコーダ回路と、
上記第２のエンコード処理とは相補な第２のデコード処理を行う第２のデコーダ回路と
を有し、
上記記録媒体から、上記主データあるいは上記所定のデータの記録されているエリアを示す情報を再生し、
この再生した情報にしたがって、デコーダ回路を、上記第１のデコーダ回路と、上記第２のデコーダ回路とに切り換えて上記主データを得る
ようにしたデジタルデータの再生装置。
【請求項１１】
主データを第１のエラー訂正符号化処理によりエンコードして送信するとともに、
第２のエラー訂正符号化処理によりエンコードしたときには、ＤＳＶが所定の範囲に収まるが、上記第１のエラー訂正符号化処理によりエンコードしたときには、ＤＳＶが上記所定の範囲に収まらないような所定のデータを、上記第２のエラー訂正符号化処理によりエンコードして送信するとともに、
上記主データあるいは上記所定のデータの送信されている期間を示す情報を送信する
ようにしたデジタルデータの送信方法。
【請求項１２】
第１のエンコード処理が、第１のエラー訂正符号化処理、第１のインターリーブ処理および第２のエラー訂正符号化処理を、この順に行う処理であり、
第２のエンコード処理が、上記第１のエラー訂正符号化処理、上記第１のインターリーブ処理とは異なるインターリーブ長の第２のインターリーブ処理および上記第２のエラー訂正符号化処理を、この順に行う処理であるとき、
主データを上記第１のエンコード処理によりエンコードして送信するとともに、
上記第２のエンコード処理によりエンコードしたときには、ＤＳＶが所定の範囲に収まるが、上記第１のエンコード処理によりエンコードしたときには、ＤＳＶが上記所定の範囲に収まらないような所定のデータを、上記第２のエンコード処理によりエンコードして送信するとともに、
上記主データあるいは上記所定のデータの送信されている期間を示す情報を送信する
ようにしたデジタルデータの送信方法。
【請求項１３】
第１のエンコード処理として第１のエラー訂正符号化処理を行う第１のエンコーダ回路と、
第２のエンコード処理として第２のエラー訂正符号化処理を行う第２のエンコーダ回路と
を有し、
主データを上記第１のエンコーダ回路によりエンコードして送信するとともに、
上記第２のエンコード処理によりエンコードしたときには、ＤＳＶが所定の範囲に収まるが、上記第１のエンコード処理によりエンコードしたときには、ＤＳＶが上記所定の範囲に収まらないような所定のデータを、上記第２のエンコーダ回路によりエンコードして送信するとともに、
上記主データあるいは上記所定のデータの送信されている期間を示す情報を送信する
ようにしたデジタルデータの送信装置。
【請求項１４】
第１のエンコード処理を行う第１のエンコーダ回路と、
第２のエンコード処理を行う第２のエンコーダ回路と
を有し、
上記第１のエンコーダ処理は、第１のエラー訂正符号化処理、第１のインターリーブ処理および第２のエラー訂正符号化処理を、この順に行う処理とされ、
上記第２のエンコーダ処理は、上記第１のエラー訂正符号化処理、上記第１のインターリーブ処理とは異なるインターリーブ長の第２のインターリーブ処理および上記第２のエラー訂正符号化処理を、この順に行う処理とされ、
主データを上記第１のエンコーダ回路によりエンコードして送信するとともに、
上記第２のエンコード処理によりエンコードしたときには、ＤＳＶが所定の範囲に収まるが、上記第１のエンコード処理によりエンコードしたときには、ＤＳＶが上記所定の範囲に収まらないような所定のデータを、上記第２のエンコーダ回路によりエンコードして送信するとともに、
上記主データあるいは上記所定のデータの送信されている期間を示す情報を送信する
ようにしたデジタルデータの送信装置。
【請求項１５】
第１のエンコード処理が第１のエラー訂正符号化処理であり、
第２のエンコード処理が第２のエラー訂正符号化処理であり、
主データが上記第１のエンコード処理によりエンコードされて送信されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて送信されている信号を受信して上記主データを再生するにあたり、
上記受信した信号から、上記主データあるいは上記所定のデータの送信されている期間を示す情報を再生し、
この再生した情報にしたがって、上記受信した信号を、上記第１のエンコード処理あるいは上記第２のエンコード処理とは相補な第１のデコード処理あるいは第２のデコード処理によりデコードして上記主データを得る
ようにしたデジタルデータの再生方法。
【請求項１６】
第１のエンコード処理が、第１のエラー訂正符号化処理、第１のインターリーブ処理および第２のエラー訂正符号化処理を、この順に行うエンコード処理であり、
第２のエンコード処理が、上記第１のエラー訂正符号化処理、上記第１のインターリーブ処理とは異なるインターリーブ長の第２のインターリーブ処理および上記第２のエラー訂正符号化処理を、この順に行うエンコード処理であり、
主データが上記第１のエンコード処理によりエンコードされて送信されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて送信されている信号を受信して上記主データを再生するにあたり、
上記受信した信号から、上記主データあるいは上記所定のデータの送信されている期間を示す情報を再生し、
この再生した情報にしたがって、上記受信した信号を、上記第１のエンコード処理あるいは上記第２のエンコード処理とは相補な第１のデコード処理あるいは第２のデコード処理によりデコードして上記主データを得る
ようにしたデジタルデータの再生方法。
【請求項１７】
上記第１のエンコード処理が第１のエラー訂正符号化処理であり、
上記第２のエンコード処理が第２のエラー訂正符号化処理であり、
主データが上記第１のエンコード処理によりエンコードされて送信されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて送信されている信号を受信して上記主データを再生する再生装置であって、
上記第１のエンコード処理とは相補な第１のデコード処理を行う第１のデコーダ回路と、
上記第２のエンコード処理とは相補な第２のデコード処理を行う第２のデコーダ回路と
を有し、
上記受信した信号から、上記主データあるいは上記所定のデータの送信されているエリアを示す情報を再生し、
この再生した情報にしたがって、デコーダ回路を、上記第１のデコーダ回路と、上記第２のデコーダ回路とに切り換えて上記主データを得る
ようにしたデジタルデータの再生装置。
【請求項１８】
第１のエンコード処理が、第１のエラー訂正符号化処理、第１のインターリーブ処理および第２のエラー訂正符号化処理を、この順に行うエンコード処理であり、
第２のエンコード処理が、上記第１のエラー訂正符号化処理、上記第１のインターリーブ処理とは異なるインターリーブ長の第２のインターリーブ処理および上記第２のエラー訂正符号化処理を、この順に行うエンコード処理であり、
主データが上記第１のエンコード処理によりエンコードされて送信されるとともに、
上記第２のエンコード処理によりエンコードされたときには、ＤＳＶが所定の範囲に収まるが、上記第１のエンコード処理によりエンコードされたときには、ＤＳＶが上記所定の範囲に収まらないような所定のデータが、上記第２のエンコード処理によりエンコードされて送信されている信号を受信して上記主データを再生する再生装置であって、
上記第１のエンコード処理とは相補な第１のデコード処理を行う第１のデコーダ回路と、
上記第２のエンコード処理とは相補な第２のデコード処理を行う第２のデコーダ回路と
を有し、
上記受信した信号から、上記主データあるいは上記所定のデータの送信されているエリアを示す情報を再生し、
この再生した情報にしたがって、デコーダ回路を、上記第１のデコーダ回路と、上記第２のデコーダ回路とに切り換えて上記主データを得る
ようにしたデジタルデータの再生装置。
【発明の詳細な説明】
【０００１】
【発明の属する技術分野】
この発明は、デジタルデータの記録媒体、記録方法、記録装置、再生方法、再生装置、送信方法および送信装置に関する。
【０００２】
【従来の技術】
ＣＤは、製造が容易であり、安価であるとともに、取り扱いも容易なので、デジタルオーディオデータ、画像データなどの各種のデータ、コンピュータのプログラムなどを保存・収納するための媒体として広く利用されている。
【０００３】
【発明が解決しようとする課題】
ところが、近年、パーソナルコンピュータの能力が向上するとともに、追記録のできるＣＤ−Ｒや再記録のできるＣＤ−ＲＷが登場したことにより、ＣＤに記録されているデジタルデータを簡単にコピーできる状態になっている。このコピーは、一般に著作権を無視した不正なコピーであり、したがって、ＣＤに収納されているデジタルデータの保護が必要とされている。
【０００４】
この発明は、このような点にかんがみ、オリジナルのＣＤとコピーのＣＤとを判別することができ、また、コピーのＣＤは再生・読み出しのできないようにしようとするものである。なお、以下の説明においては、ＣＤには、ＣＤ−ＤＡやＣＤ−ＲＯＭなどを含むものとする。
【０００５】
【課題を解決するための手段】
この発明においては、
主データが第１のエラー訂正符号化処理（エラー訂正符号化処理には、エラー検出符号化処理を含む。以下同様）によりエンコードされて記録され、
第２のエラー訂正符号化処理によりエンコードされたときには、ＤＳＶが所定の範囲に収まるが、上記第１のエラー訂正符号化処理によりエンコードされたときには、ＤＳＶが上記所定の範囲に収まらないような所定のデータが、上記第２のエラー訂正符号化処理によりエンコードされて記録されているとともに、
上記主データあるいは上記所定のデータの記録されているエリアを示す情報が記録されている
ようにしたデジタルデータの記録媒体
とするものである。
したがって、コピー品では、すべて第１のエラー訂正符号化処理によりエンコードしたデータとなる。
【０００６】
【発明の実施の形態】
▲１▼  ＣＤのエラー訂正符号について
現行のＣＤに採用されているエラー訂正符号はＣＩＲＣ方式と呼ばれているが、図１は、その記録系で使用されるＣＩＲＣエンコーダ回路１０を示す。すなわち、ＣＤにおいては、左チャンネルの連続する６サンプルのデジタルオーディオデータＬ0〜Ｌ5および右チャンネルの対応する６サンプルのデジタルオーディオデータＲ0〜Ｒ5で１つのフレームが構成される。また、データＬ0〜Ｌ5、Ｒ0〜Ｒ5は、それぞれ16ビットであるが、上位の８ビットＤ0A〜Ｄ11Aと、下位の８ビットＤ0B〜Ｄ11Bとに分割され、その各８ビットＤ0A〜Ｄ11Bはシンボルと呼ばれる。
【０００７】
そして、これらシンボルＤ0A〜Ｄ11Bが遅延・スクランブル回路１１に供給され、偶数番目のサンプルのシンボルが２シンボルだけ遅延されるとともに、全シンボルがスクランブルされ、その出力がＣ2エンコーダ回路１２に供給されてＧＦ（２8）上の（28,24,5）リード・ソロモン符号の符号化がされ、４シンボルのＱパリティＱ0〜Ｑ3が生成される。そして、このＣ2エンコーダ回路１２の出力がインターリーブ回路１３に供給され、単位遅延量をＤとすると、各シンボルに等差的に異なる遅延量０、Ｄ、２Ｄ、・・・、27Ｄの遅延が与えられる。現行のＣＤにおいては、Ｄ＝４フレームとされ、隣接するシンボルは４フレームずつ離される。なお、以下、Ｄ＝４のときのＣＩＲＣ方式を「ＣＩＲＣ４方式」と呼ぶものとする。
【０００８】
続いて、インターリーブ回路１３の出力が、Ｃ1エンコーダ回路１４に供給されてＧＦ（２8）上の（32,28,5）リード・ソロモン符号の符号化がされ、４シンボルのＰパリティＰ0〜Ｐ3が生成される。そして、このＣ1エンコーダ回路１４の出力が遅延回路１５に供給されて１つおきのシンボルが１シンボルだけ遅延されるとともに、ＱパリティＱ0〜Ｑ3およびＰパリティＰ0〜Ｐ3がインバータ回路１６により反転され、エンコーダ回路１０のエンコード信号として出力される。なお、このエンコード信号はＥＦＭ変調回路に供給され、そのＥＦＭ変調信号がＣＤに記録される。
【０００９】
また、図２は再生系で使用されるＣＩＲＣデコーダ回路２０を示し、このデコーダ回路２０はエンコーダ回路１０とは相補に構成されている。すなわち、ＣＤから再生されたＥＦＭ変調信号はＥＦＭ復調回路によりもとのデータ列（エンコード信号）が復調される。そして、このエンコード信号が遅延回路２１に供給され、エンコーダ回路１０の遅延回路１５により遅延されなかったシンボルが１シンボル遅延されて遅延回路１５による遅延が相対的にキャンセルされ、さらに、インバータ回路２２において、エンコーダ回路１０のインバータ回路１６による反転が戻されてＣ1エンコーダ回路１４のエンコード出力が取り出される。
【００１０】
そして、このエンコード出力が、Ｃ1デコーダ回路２３によりもとのシンボルにデコードされてからデインターリーブ回路２４に供給される。このデインターリーブ回路２４において、各シンボルには等差的に異なる遅延量27Ｄ、26Ｄ、・・・、Ｄ、０の遅延が与えられてエンコーダ回路１０のインターリーブ回路１３によるシンボルの遅延が相対的にキャンセルされる。なお、このとき、Ｄ＝４フレームである。
【００１１】
続いて、デインターリーブ回路２４の出力がＣ2デコーダ回路２５によりもとのシンボルにデコードされ、その後、遅延・デスクランブル回路２６に供給され、全シンボルがデスクランブルされるとともに、奇数番目のサンプルのシンボルが２シンボルだけ遅延されてもとのデジタルオーディオデータＬ0〜Ｒ5（Ｄ0A〜Ｄ11B）が取り出される。そして、以上の処理がフレームごとに実行されて、もとのデジタルオーディオデータが連続して取り出され、このデジタルオーディオデータがＤ／Ａ変換されてもとの左および右チャンネルのアナログオーディオ信号とされる。
【００１２】
なお、このとき、Ｃ1デコーダ回路２３およびＣ2デコーダ回路２５からエラーフラグが取り出され、このエラーフラグが補間フラグ生成回路２７に供給されてエラー補間フラグが生成される。そして、この補間フラグにより、データＬ0〜Ｒ5のうち、エラーを生じているデータが、前置ホールドあるいは平均値補間などの補間処理により補間される。
【００１３】
以上が、現行のＣＤに採用されているＣＩＲＣ４方式のエラー訂正のためのエンコード処理およびデコード処理である。
【００１４】
一方、倍密度形式などのＣＤにおいては、エラー訂正のための処理としてＣＩＲＣ７方式と呼ばれるものが採用されている。このＣＩＲＣ７方式のエンコーダ回路およびデコーダ回路は、上述したＣＩＲＣ４方式のエンコーダ回路１０およびデコーダ回路２０と同様に構成されるものであるが、ＣＩＲＣ７方式では、インターリーブ回路１３およびデインターリーブ回路２４における遅延量が７フレームとされる（ＣＩＲＣ４方式は４フレームである）。
【００１５】
したがって、ＣＩＲＣ７方式によれば、ＣＩＲＣ４方式に比べ、インターリーブ長が長くされているので、バーストエラー（ＣＤに付着した指紋やＣＤの傷などにより読み取ったデータに連続して生じるエラー）に対する訂正能力が高くなる。
【００１６】
上述のように、ＣＩＲＣ４方式とＣＩＲＣ７方式とでは、インターリーブ長が異なるので、ＣＩＲＣ４方式で記録されたＣＤは、ＣＩＲＣ７方式の再生装置ではデコードができない。また、逆に、ＣＩＲＣ７方式で記録されたＣＤは、ＣＩＲＣ４方式の再生装置ではデコードができない。
【００１７】
▲２▼  ＣＤのＤＳＶについて
図３Ａに示すように、あるシンボル（原データ）の値が例えば92h（ｈは16進値であることを示す）のとき、このシンボルをＣＩＲＣ７方式でエンコードしてＥＦＭ変調信号に変換すると、そのチャンネルビット（ＥＦＭ変調信号）は、ＣＤが採用している変換の規格により図３Ｂに示すようなビット配列となる。また、このとき、チャンネルビットには、シンボルのつなぎ目ごとに、接続ビットあるいはマージンビットと呼ばれる３ビットが挿入される。
【００１８】
この接続ビットは、シンボルのつなぎ目でも、チャンネルビットの最小時間幅Ｔminが長くなり、かつ、最大時間幅Ｔmaxが短くなるようにするために挿入されるものであり、具体的には、“０”あるいは“１”が２個以上連続し、１２個以上は連続しないようにするために挿入される。したがって、接続ビットは、図３Ｃに示す４種類のビットパターンのどれかとなるが、今の場合は、上記の条件から“０００”となる。
【００１９】
したがって、今の場合、チャンネルビットは図３Ｄに示すようなビットパターンとなるが、このとき、そのＤＳＶを求めると、図３Ｅに示すようになり、１シンボルの終了時には、ＤＳＶは３だけ増加する。そして、シンボルが一般のデジタルオーディオデータなどのときには、１シンボルあたりのＤＳＶの極性および大きさはばらつくとともに、接続ビットは、ＤＳＶを累積したとき、０に収束するようにも選択されている。したがって、ＤＳＶの累積値は常に０に近い所定の範囲に収まっている。
【００２０】
しかし、なんらかの方法で、シンボルとして例えば92hを繰り返したときには、ＤＳＶの累積値は１シンボルごとに３ずつ増加していくことになる。そして、このようにＤＳＶが増加して（あるいは減少して）ある範囲から外れると、ＣＤの再生回路におけるアシンメトリ補正などに影響を与えてしまい、ついには正常な再生ができなくなる。
【００２１】
▲３▼  ▲１▼項に▲２▼項を適用した場合
ＣＩＲＣ４方式とＣＩＲＣ７方式とでは、▲１▼項で述べたようにインターリーブ長が異なるので、エンコード結果も異なり、ＥＦＭ変調信号のビットパターンも異なる。したがって、ＣＩＲＣ７方式でエンコードしたときには、ＤＳＶが正常に再生のできる範囲に収まるが、ＣＩＲＣ４方式でエンコードしたときには、ＤＳＶが正常な再生のできる範囲に収まらないというデータ列を用意することができる。
【００２２】
そして、そのようなデータ列を記録したＣＤは、そのままＣＩＲＣ７方式のＣＤ再生装置で再生した場合には正常に再生ができるが、ＣＩＲＣ４方式の記録装置を使用してＣＤ−Ｒにコピーした場合には、その記録装置において、オリジナルのＣＤから再生されたデータ列がＣＩＲＣ４方式でエンコードされてＣＤ−Ｒに記録されることになる。したがって、そのコピー結果のＣＤ−Ｒを再生したとき、ＤＳＶが片寄って正常に再生できなくなる。
【００２３】
なお、このようにＣＩＲＣ７方式でデコードして再生したときには、ＤＳＶに何も異常を生じないが、その再生出力をさらにＣＩＲＣ４方式でエンコードして記録したときには、再生時、ＤＳＶが片寄って再生にエラーを生じるようなデータ列を「特殊データ」と呼ぶものとする。
【００２４】
▲４▼  この発明の概要
図４ＡおよびＤは、ＣＤのトラックを展開して示す。そして、図４Ａに示すように、オリジナルのＣＤには、音楽などの主データをＣＩＲＣ４方式でエンコードして記録するが、斜線で示す所定のエリアには、▲３▼項で説明した特殊データを記録しておく。また、例えばサブコードに、その特殊データの記録エリア（斜線部分の位置）の情報を含ませておく。なお、信号の記録フォーマット、ディスクのサイズや特性などの規格は、現行のＣＤのそれにしたがうものとされる。
【００２５】
すると、図４Ｂに示すように、そのＣＤの主データの記録エリアをＣＩＲＣ４方式で再生した場合には、主データ部分は、ＣＩＲＣ４方式で記録されているのであるから、その主データは図４Ｃに示すように、正常に再生される。
【００２６】
また、斜線部分のエリアは特殊データが記録されているが、この記録エリアはサブコードから知ることができるので、例えば図４Ｂに示すように、特殊データの記録エリアのとき、デコード方式をＣＩＲＣ７方式に切り換えれば、エラーとなることがなく、正常に再生していくことができる。
【００２７】
一方、パーソナルコンピュータなどを使用して図４ＡのＣＤをＣＤ−Ｒなどにコピーする場合には、特殊データの記録エリアは、正常に再生できたとしても、図４Ｄに示すように、ＣＩＲＣ４方式でＣＤ−Ｒに記録される。したがって、そのコピー結果のＣＤを再生した場合、図４Ｅに示すように、特殊データの記録エリアでは、ＤＳＶが異常となって再生ができなくなる。つまり、実質的にはコピーができなかったことになる。
【００２８】
以上が、この発明におけるコピーを実質的に無効にする方法の概要である。また、オリジナルのＣＤと、コピー結果のＣＤとの外観が同じであっても、図４における斜線の記録エリアでは、データのエンコード方式が異なるので、これによりオリジナルのＣＤと、コピー結果のＣＤとを判別することができる。
【００２９】
▲５▼  記録装置の一例
図５は、上述した▲１▼項〜▲４▼項を適用した記録装置の一例を示す。すなわち、デジタルオーディオデータなどの主データが端子３１に供給され、特殊データ、例えば値92hを繰り返すデータが端子３２に供給される。さらに、サブコードとなるデータが端子３３に供給される。
【００３０】
そして、端子３１の主データがＣＩＲＣ４エンコーダ回路４１に供給されてＣＩＲＣ４方式でエンコード処理され、そのエンコード結果のデータ列がスイッチ回路４３に供給される。また、端子３２の特殊データがＣＩＲＣ７エンコーダ回路４１に供給されてＣＩＲＣ７方式でエンコード処理され、そのエンコード結果のデータ列がスイッチ回路４３に供給される。
【００３１】
さらに、システム制御回路５５から特殊データの記録エリア（例えば図４Ａにおける斜線部分）を示す信号が取り出され、この信号がスイッチ回路４３にその制御信号として供給され、スイッチ回路４３からは、主データからエンコードされたデータ列と、特殊データからエンコードされたデータ列とが、例えば図４Ａに示すような位置関係となるように取り出され、このスイッチ出力が、マルチプレックサ回路４５に供給される。
【００３２】
また、端子３３のサブコードのデータがサブコードエンコーダ回路４４に供給されてサブコードが形成され、このサブコードがマルチプレックサ回路４５に供給される。なお、サブコードには、▲４▼項で説明したように、特殊データの記録エリアの情報が含められる。
【００３３】
こうして、マルチプレックサ回路４５からは、一部に特殊データのデータ列を有するとともに、サブコードが付加された主データのエンコード出力が取り出される。そして、この出力がＥＦＭ変調回路４６に供給されてＥＦＭ変調信号（チャンネルビット）とされ、この信号が記録用の光学ヘッド５１に供給されて記録用のＣＤ（あるいはＣＤの原盤）６０に、らせん状のトラックとして光記録される。なお、このとき、ＣＤ６０は、スピンドルモータ５２により所定の線速度で回転させられるとともに、サーボ回路５３により、トラッキングサーボや光学ヘッド５１に供給される記録電流のサーボなど各種の記録用のサーボ制御が行われる。
【００３４】
以上のようにして、ＣＤ６０への記録が行われる。したがって、ＣＤ６０には、▲４▼項および例えば図４Ａにより説明したように、主データおよび特殊データが記録されていることになる。また、その特殊データの記録エリアの情報はサブコードに含められている。
【００３５】
▲６▼  再生装置の一例
図６は、▲５▼項の記録装置により作製されたＣＤ６０を再生する再生装置の一例を示す。すなわち、再生用の光学ヘッド７１により▲５▼項により作製されたＣＤ（あるいはこれを原盤として作製されたＣＤ）６０からＥＦＭ変調信号が再生される。なお、このとき、ＣＤ６０は、スピンドルモータ７２により所定の線速度で回転させられるとともに、サーボ回路７３により、トラッキングサーボやフォーカスサーボなどの各種の再生用のサーボ制御が行われる。
【００３６】
そして、光学ヘッド７１からの再生信号が、アンプ８１を通じてＥＦＭ復調回路８２に供給されてもとのデータ列（ＣＩＲＣ信号）が復調され、このデータ列がサブコードデコーダ回路８６に供給されてサブコードがデコードされ、このサブコードが端子９３に取り出されるとともに、システム制御回路７５に供給される。
【００３７】
そして、制御回路７５においては、これに供給されたサブコードから、特殊データの記録エリア（図４Ａの斜線位置）の情報が取り出され、この情報にしたがってスイッチ回路８３が制御される。すなわち、スイッチ回路８３は、主データの記録エリアから再生を行っているときには、図の状態に接続され、特殊データの記録エリアから再生を行っているときには、図とは逆の状態に接続される。
【００３８】
こうして、ＥＦＭ復調回路８２により復調されたデータ列のうち、主データの記録エリアから再生されて復調されたデータ列は、スイッチ回路８３を通じてＣＩＲＣ４デコーダ回路８４に供給されてＣＩＲＣ４方式でデコードされ、したがって、もとの主データがデコードされ、この主データは端子９１に取り出される。また、ＥＦＭ復調回路８２により復調されたデータ列のうち、特殊データの記録エリアから再生されたデータ列は、スイッチ回路８３を通じてＣＩＲＣ７デコーダ回路８５に供給されてＣＩＲＣ７方式でデコードされて端子９２に取り出される。
【００３９】
そして、このように主データの記録エリアを再生しているときには、ＣＩＲＣ４方式のデコーダ回路８４にＣＩＲＣ信号のデータ列が供給され、特殊データの記録エリアを再生しているときには、ＣＩＲＣ７方式のデコーダ回路８５にＣＩＲＣ信号のデータ列が供給されるので、エラーになることがなく、したがって、どの記録エリアでも、正常な再生ができる。
【００４０】
こうして、ＣＤには、主データおよび特殊データが▲４▼項により説明したように記録され、再生されるので、主データ、例えば音楽のデジタルオーディオデータを正常に再生してその音楽を聴取することができる。また、ＣＤ６０をコピーした結果のＣＤは、再生時、上述のようにＤＳＶの異常により正常に再生することができなくなり、したがって、不正なコピーを実質的に防ぐことができる。
【００４１】
▲７▼  記録装置の他の例
図７は、記録装置の他の例を示すもので、この記録装置においては、ＥＦＭ変調回路４６の前段に前処理回路４７が設けられるとともに、後段に後処理回路４８が設けられる。そして、制御回路５５から特殊データの記録エリアを示す信号が処理回路４７、４８に供給され、処理回路４７、４８により他のコピー防止のための処理が行われる。例えば、最小時間幅Ｔminとして“０”あるいは“１”が２ビットしか連続しないビットパターンの生成、パリティエラーを生じるようなビット操作、チャンネルビットのシフトなどの処理が行われる。なお、再生装置においては、この記録装置と相補な処理が行われる。
【００４２】
したがって、この記録装置により作製されたＣＤ６０は、不正なコピーに対してより耐性が強くなる。
【００４３】
▲８▼  その他
図５および図７の記録装置においては、特殊なデータをＣＩＲＣ７方式のエンコーダ回路４２に供給してＤＳＶが片寄るデータ列を形成しているが、そのＤＳＶが片寄るデータ列をあらかじめメモリなどに用意しておき、スイッチ回路４３に供給することもできる。また、上述において、ＣＩＲＣ４方式とＣＩＲＣ７方式との処理を逆にすることもできる。
【００４４】
さらに、インターリーブ長が異なる２つのＣＩＲＣ方式であれば、この発明を適用することができる。あるいは上述においては、エンコード処理およびデコード処理としてＣＩＲＣ方式を採用しているが、ＣＲＣやリード・ソロモン符号などの単一のエラー訂正符号を使用するとともに、インターリー処理やスクランブル処理を変更したり、生成多項式を変更したりする場合などにも、この発明を適用することができる。
【００４５】
また、特殊データの記録エリアを示す情報の代わりに、主データの記録エリアを示す情報をサブコードなどに含ませることもできる。さらに、上述においては、記録媒体がＣＤの場合であるが、ＭＤやＤＶＤなどとすることもでき、あるいはインターネットなどのネットワークを通じて送信および受信することもできる。また、図７の記録装置において、処理回路４７、４８はどちらか一方とすることもできる。
【００４６】
〔この明細書で使用している略語の一覧〕
ＣＤ        ：Compact Disc
ＣＤ−ＤＡ  ：CD Digital Audio
ＣＤ−ＲＯＭ：CD Read Only Memory
ＣＤ−Ｒ    ：CD Recordable
ＣＤ−ＲＷ  ：CD ReWritable
ＣＩＲＣ    ：Cross Interleave Reed-solomon Code
ＣＲＣ      ：Cyclic Redundancy Check
ＤＳＶ      ：Digital Sum Value
ＤＶＤ      ：Digital Versatile Disc
ＥＦＭ      ：Eight to Fourteen Modulation
ＭＤ        ：Mini Disc
【００４７】
【発明の効果】
この発明によれば、オリジナルＣＤであれば、デジタルオーディオデータなどの主データを正常に再生ないし読み出すことができるが、そのコピー結果のＣＤはＤＳＶの異常により正常に再生あるいは読み出しをすることができなくなり、したがって、不正なコピーを実質的に防ぐことができる。
【図面の簡単な説明】
【図１】この発明を説明するための系統図である。
【図２】この発明を説明するための系統図である。
【図３】この発明を説明するための図である。
【図４】この発明を説明するための図である。
【図５】この発明の一形態を示す系統図である。
【図６】この発明の一形態を示す系統図である。
【図７】この発明の他の形態を示す系統図である。
【符号の説明】
１０…ＣＩＲＣエンコーダ回路、１０Ｓ…ＣＩＲＣ７エンコーダ回路、２０…ＣＩＲＣデコーダ回路、２０Ｆ…ＣＩＲＣ４デコーダ回路、４１…ＣＩＲＣ４エンコーダ回路、４２…ＣＩＲＣ７エンコーダ回路、４４…サブコードエンコーダ回路、４６…ＥＦＭ変調回路、５１…記録用光学ヘッド、６０…ＣＤ、７１再生用光学ヘッド、８２…ＥＦＭ復調回路、８４…ＣＩＲＣ４デコーダ回路、８５…ＣＩＲＣ７デコーダ回路、８６…サブコードデコーダ回路
【図１】
0003863059.tif 000002
【図２】
0003863059.tif 000003
【図３】
0003863059.tif 000004
【図４】
0003863059.tif 000005
【図５】
0003863059.tif 000006
【図６】
0003863059.tif 000007
【図７】
0003863059.tif 000008